(57)【要約】【課題】ポンプを使用しないで、洗浄液タンク内の洗浄液を吸込口ブラシ等の床用吸込具に送り出すことを可能とする洗浄機能付きウエット＆ドライ電気掃除機を提供する。【解決手段】  図はノズル１０を洗浄液８に浸ける場合で、かつ、洗浄液８を床用吸込具１６に設けた噴射手段であるスプレーノズル１７に送る場合の実施例で、排気口シャッター６は閉じられる方向に操作される。この状態では、電動送風機からの排気口５への排気量が少量であり、洗浄液タンク７への排気量は増加する。そのため、洗浄液タンク７内の排気圧は増加し、洗浄液８を押し出し供給するチューブ９を介して前記床用吸込具１６に設けたスプレーノズル１７に供給することができる。【選択図】      図２
2010068903.tif 000002
【特許請求の範囲】
【請求項１】
吸気口に連通した集塵室と電動送風機を有する掃除機本体と、前記集塵室に内蔵されたダストフィルターを有する集塵部と、前記電動送風機の前部に設置された汚水収集タンクと、前記吸気口に気密に接続されたホースと、前記ホースと気密に接続され床面の塵埃を吸引する床用吸込具と、前記掃除機本体に設けた洗浄液タンクと、前記電動送風機の排気を前記洗浄液タンク内に供給する手段と、前記排気の排気圧により前記洗浄液タンク内の洗浄液を押し出し供給する手段と、前記床用吸込具に設けた噴射手段とを備え、前記洗浄液タンク内の洗浄液を前記供給手段を通じて前記噴射手段に供給することを特徴とする洗浄機能付きウエット＆ドライ電気掃除機。
【請求項２】
前記洗浄液タンクは前記排気を供給する手段の供給口と前記液体の供給手段の出口を除いて気密にされていることを特徴とする請求項１記載の洗浄機能付きウエット＆ドライ電気掃除機。
【請求項３】
前記排気を前記洗浄液タンク内に供給する手段は、洗浄液の仕様に応じて洗浄液中に浸入する、又は浸入しないを選択可能にしたことを特徴とする請求項１記載の洗浄機能付きウエット＆ドライ電気掃除機。
【請求項４】
洗浄液の押し出し量の調整は前記排気の排気圧を排気口シャッターの開閉により行なうことを特徴とする請求項１記載の洗浄機能付きウエット＆ドライ掃除機。
【請求項５】
前記排気口シャッターは開口をスライド板で開閉する構成としたことを特徴とする請求項４記載の洗浄機能付きウエット＆ドライ電気掃除機。
【請求項６】
前記シャッターの開口はスリット状としたことを特徴とする請求項５記載の洗浄機能付きウエット＆ドライ電気掃除機。
【発明の詳細な説明】
【技術分野】
【０００１】
本発明は電気掃除機、特に洗浄機能付きウエット＆ドライ電気掃除機に関する。
【背景技術】
【０００２】
一般の電気掃除機は床上の乾燥したゴミを床用吸込具を用いて吸い取るものであるが、掃除の場所や対象となるゴミの種類によっては、乾燥したゴミに限らず、水分を含んだゴミや水が溜まった場所の掃除を余儀なくされることがある。特にこれらの事態は業務用の掃除の場合にしばしば遭遇することが多い。しかし一般の家庭でも、絨毯の掃除を行なう場合、床用吸込具に設置されたスプレーノズルから洗浄液を噴射し、ゴミと共に汚水も吸い取り清掃する洗浄機能付きウエット＆ドライ電気掃除機が使用されている。
【０００３】
その概要を図６示す。掃除機本体１の吸気口に気密に接続されたホース３の延長ダクト１５の先端に接続され床面の塵埃を吸引する床用吸込具１６にスプレーノズル等の噴射手段１７を設け、掃除機本体１内に設けた洗浄液タンクから、ポンプにより床用吸込具１６にタンク内の洗浄液をチューブ９を通じて前記噴射手段に供給するように構成されている。
【０００４】
このようなタイプの電気掃除機で公知なものとしては、例えば特許文献１を参照すると、図１において、電気掃除機１は、本体吸気口２に連通した集塵室３と送風室４を有する掃除機本体５と、集塵室３に内蔵された通気孔を有する集塵ケース６と、送風室４内に設置された吸引ファンモータ７と、本体吸気口２に気密に接続されたホース８と、ホース８と気密に接続され床面から塵埃を吸引する床用吸込具９ａを有し、さらに床用吸込具９ａ内に設置された微粒子Ｂを噴射するスプレーノズル１０と、掃除機本体５内に水Ａを貯留したタンク１１と、タンク１１と気密に接続された送液ポンプ１２と、送液ポンプ１２とスプレーノズル１０を気密に接続したチューブ１３から構成されている湿式電気掃除機が開示されている。
【０００５】
また、ゴミや汚物とともに、掃除中供給した洗浄水の汚水も吸込出来る振動、操音の低い湿乾式電気掃除機として、 吸込力を生ぜしめる駆動手段と、ゴミ、汚物及び汚水を吸込む吸込口と、雑巾部材の装着された吸込口体と、上記雑巾部材に洗浄水を供給する洗浄水供給手段と、駆動手段、雑巾部材及び洗浄水供給手段などの機能を選択操作する操作手段と、ガイドカバーと蓋との間通路を通って流込まれた汚物、汚水だけを蓄える汚物貯蔵手段と、汚物貯蔵手段から流れ込まれる空気に含まれているゴミをフィルタリングするフィルタ手段と、浄化された空気が排出されるとき騒音を減少させるべくジグザグ状に形成された排出通路と、排出口とから構成されるものが公知である（例えば、特許文献２参照）。
【特許文献１】特開２００７−５４３５２号公報
【特許文献２】特開平５−２１１９５２号公報
【発明の開示】
【発明が解決しようとする課題】
【０００６】
従来の湿乾式電気掃除機や洗浄機能付きウエット＆ドライ電気掃除機は、洗浄液タンク内の洗浄液を吸込口ブラシ等の床用吸込具に送り出すためにポンプを掃除機本体内に設け、それにより、床用吸込具に洗浄液を送っていた。そのため、掃除機価格やポンプを別置するために掃除機本体が大きくなる等の問題があった。そこで本発明は、ポンプを使用しないで、洗浄液タンク内の洗浄液を吸込口ブラシ等の床用吸込具に送り出すことを可能とする洗浄機能付きウエット＆ドライ電気掃除機を提供することを目的とする。
【課題を解決するための手段】
【０００７】
上記課題を解決するために、本発明の請求項１に係る洗浄機能付きウエット＆ドライ電気掃除機は、吸気口に連通した集塵室と電動送風機を有する掃除機本体と、前記集塵室に内蔵されたダストフィルターを有する集塵部と、前記電動送風機の前部に設置された汚水収集タンクと、前記吸気口に気密に接続されたホースと、前記ホースと気密に接続され床面の塵埃を吸引する床用吸込具と、前記掃除機本体に設けた洗浄液タンクと、前記電動送風機の排気を前記洗浄液タンク内に供給する手段と、前記排気の排気圧により前記洗浄液タンク内の洗浄液を押し出し供給する手段と、前記床用吸込具に設けた噴射手段とを備え、前記洗浄液タンク内の洗浄液を前記供給手段を通じて前記噴射手段に供給する構成とした。
【０００８】
本発明の請求項２に係る洗浄機能付きウエット＆ドライ電気掃除機は、吸気口に連通した集塵室と電動送風機を有する掃除機本体と、前記集塵室に内蔵されたダストフィルターを有する集塵部と、前記電動送風機の前部に設置された汚水収集タンクと、前記吸気口に気密に接続されたホースと、前記ホースと気密に接続され床面の塵埃を吸引する床用吸込具と、前記掃除機本体に設けた、前記排気を供給する手段の供給口と前記液体の供給手段の出口を除いて気密にされている洗浄液タンクと、前記電動送風機の排気を前記洗浄液タンク内に供給する手段と、前記排気の排気圧により前記洗浄液タンク内の洗浄液を押し出し供給する手段と、前記床用吸込具に設けた噴射手段とを備え、前記洗浄液タンク内の洗浄液を前記供給手段を通じて前記噴射手段に供給する構成とした。
【０００９】
こうして、モータを含む電動送風機の排気を洗浄液タンク内に導入して、洗浄液タンク内の圧力を高めることにより、洗浄液タンクから洗浄液が押し出されてチューブで床用吸込具に設けた噴射手段であるスプレーノズルに供給するという簡単な構成で、特別にポンプを使用することもなく、コストの低減と掃除機本体の小型化を図ることができる。
【００１０】
本発明の請求項３に係る洗浄機能付きウエット＆ドライ電気掃除機は、吸気口に連通した集塵室と電動送風機を有する掃除機本体と、前記集塵室に内蔵されたダストフィルターを有する集塵部と、前記電動送風機の前部に設置された汚水収集タンクと、前記吸気口に気密に接続されたホースと、前記ホースと気密に接続され床面の塵埃を吸引する床用吸込具と、前記掃除機本体に設けた洗浄液タンクと、前記電動送風機の排気を洗浄液の仕様に応じて洗浄液中に浸入する、または浸入しないを選択可能に前記洗浄液タンク内に供給する手段と、前記排気の排気圧により前記洗浄液タンク内の洗浄液を押し出し供給する手段と、前記床用吸込具に設けた噴射手段とを備え、前記洗浄液タンク内の洗浄液を前記供給手段を通じて前記噴射手段に供給する構成とした。
【００１１】
こうして、モータを含む電動送風機の排気を洗浄液タンク内に導入して、洗浄液タンク内の圧力を高めることにより、洗浄液が泡立つものか否かに応じて選択された動作により、洗浄液タンクから洗浄液が押し出されてチューブで床用吸込具に設けた噴射手段であるスプレーノズルに供給するという簡単な構成で、特別にポンプを使用することもなく、コストの低減と掃除機本体の小型化を図ることができる。
【００１２】
本発明の請求項４に係る洗浄機能付きウエット＆ドライ電気掃除機は、吸気口に連通した集塵室と電動送風機を有する掃除機本体と、前記集塵室に内蔵されたダストフィルターを有する集塵部と、前記電動送風機の前部に設置された汚水収集タンクと、前記吸気口に気密に接続されたホースと、前記ホースと気密に接続され床面の塵埃を吸引する床用吸込具と、前記掃除機本体に設けた洗浄液タンクと、前記電動送風機の排気を前記洗浄液タンク内に供給する手段と、前記排気の排気圧により前記洗浄液タンク内の洗浄液を押し出し供給する手段と、前記床用吸込具に設けた噴射手段とを備え、前記洗浄液タンク内の洗浄液を前記供給手段を通じて前記噴射手段に供給する構成とし、洗浄液の押し出し量の調整は前記排気の排気圧を排気口シャッターの開閉により行なう構成とした。
【００１３】
こうして、モータを含む電動送風機の排気を洗浄液タンク内に導入して、洗浄液タンク内の圧力を高めることにより、洗浄液タンクの入口に設けられた排気口シャッターが洗浄液タンクへの排気量と排気口への排気量の振り分けを調整することにより、洗浄液タンクから洗浄液が適度に押し出されてチューブで床用吸込具に設けた噴射手段であるスプレーノズルに供給するという簡単な構成で、特別にポンプを使用することもなく、コストの低減と掃除機本体の小型化を図ることができる。
【００１４】
本発明の請求項５に係る洗浄機能付きウエット＆ドライ電気掃除機は、上記請求項４に記載の電気掃除機において、前記排気口シャッターは開口をスライド板で開閉する構成とした。
【００１５】
本発明の請求項６に係る洗浄機能付きウエット＆ドライ電気掃除機は、上記請求項５に記載の電気掃除機において、前記シャッターの開口はスリット状の構成とした。
【００１６】
こうして、排気口シャッターは排気口をスライド板で開閉、調整する構成と、また、排気口をスリット状にして、これにより排気を整流して洗浄液タンクへの排気の流れも円滑にしているので、簡単に洗浄液タンクから洗浄液が適度に押し出され、チューブで床用吸込具に設けた噴射手段であるスプレーノズルに供給するという簡単な構成で、特別にポンプを使用することもなく、コストの低減と掃除機本体の小型化を図ることができる。
【発明の効果】
【００１７】
以上のように本発明の洗浄機能付きウエット＆ドライ電気掃除機は、モータを含む電動送風機の排気を洗浄液タンク内に導入して、洗浄液タンク内の圧力を高めることにより、洗浄液タンクから洗浄液が押し出されてチューブで床用吸込具に設けた噴射手段であるスプレーノズルに供給するという簡単な構成で、特にポンプを使用することもなく、コストの低減と掃除機本体の小型化を図ることができる。
【発明を実施するための最良の形態】
【００１８】
本発明の洗浄機能付きウエット＆ドライ電気掃除機の実施形態について図を参照して説明する。図１、図２は本発明の第１の実施形態であり、ノズルを洗浄液に浸ける場合で、図１は洗浄液を送らない場合の本発明の電気掃除機の断面図。図２は洗浄液を送る場合の本発明の電気掃除機の断面図。図３、図４は本発明の第２の実施形態であり、ノズルを洗浄液に浸けない場合で、図３は洗浄液を送らない場合の本発明の電気掃除機の断面図。図４は洗浄液を送る場合の本発明の電気掃除機の断面図。図５は本発明の電気掃除機の上面図である。
【００１９】
次に、本発明の洗浄機能付きウエット＆ドライ電気掃除機の第１の実施形態を図１、図２を参照して説明する。図において、１は掃除機本体、２はモータを含む電動送風機、３はホース、４はダストフィルター、５は排気口、６は排気口シャッター、７は洗浄液タンク、８は洗浄液、９はチューブ、１０はノズル、１１は集塵室、１２は汚水収集タンク、１３は円筒体、１４は浮揚体のフローターである。
【００２０】
図１、図２はノズル１０を泡立ちが生じない洗浄液８に浸ける場合であって、掃除機本体１は吸気口に連通した集塵室１１と電動送風機２で構成され、ホース３と気密に接続され床面の塵埃を吸引する床用吸込具１６を用いて掃除機本体１の吸気口に気密に接続されたホース３から吸引された空気と共に水分を含んだゴミは矢印の流路に沿って進み、前記集塵室１１で回転されながら、内蔵されたダストフィルター４によって収集される。
【００２１】
ゴミが除去された残りの水分は前記電動送風機２の入口前部に設置された汚水収集タンク１２に貯留される。汚水収集タンク１２内側の中央には円筒体１３が設けられ、円筒体１３内にゴミと共に吸込まれて蓄えられる汚水の水位につれて上下に作動されるに浮揚体のフローター１４が設置されていて、フローター１４は汚水収集タンク１２内の汚水の量が増えると上昇し、電動送風機２に汚水が浸入することを防止するように、電動送風機２の入口を塞ぐように構成されている。
【００２２】
また、汚水収集タンク１２内の汚水の量一定水位に達すると、浮揚体のフローター１４の突き当り音または円筒体１３内に設けられる図示のない感知手段を作動させ、ユーザに汚水収集タンク１２の汚水を除去するように知らせる機能を設けても良い。
【００２３】
電動送風機２からの排気は更に矢印の流路のように進み、掃除機本体１内に設けた洗浄液タンク７に排気を供給する手段であるノズル１０によって排気が供給される。これにより洗浄液タンク７内の圧力を高めることにより、前記洗浄液タンク７内の洗浄液８を押し出し供給する手段であるチューブ９で床用吸込具１６に設けた噴射手段であるスプレーノズル１７に供給する。これにより特別にポンプを設けることなく、床または絨毯等のあらかじめ洗浄液で前処理する必要がある部分に洗浄水を供給することができる。
【００２４】
前記洗浄液タンク７は空気の圧力を逃さないように、排気を供給する手段であるノズル１０の供給口と洗浄液体８の供給手段であるチューブ９の出口を除いて気密に形成されている。洗浄液タンク７の入口には排気口シャッター６が設けられ、洗浄液タンク７への排気量と排気口５への排気量の振り分けを調整する。洗浄液８の押し出し量の調整は前記排気の排気量を排気口シャッター６の開閉により行なっている。
【００２５】
排気口シャッター６による排気量の振り分けを調整手段を図５により説明する。図５は本発明の洗浄機能付きウエット＆ドライ電気掃除機の上面図を示す。排気口シャッター６は排気口５をスライド板で開閉、調整する構成としている。図では、排気口をスリット状にして、これにより排気を整流して洗浄液タンク７への排気の流れも円滑にしているが、スリット状に限ることなく他の手段も採用できる。
【００２６】
図１はノズル１０を洗浄液８に浸ける場合で、かつ、洗浄液８を床用吸込具１６に設けた噴射手段であるスプレーノズル１７に送らない場合の実施例である。この場合は、排気口シャッター６は広く開放されていて、排気口５への排気量が殆どであり、洗浄液タンク７への排気量はゼロかまたは少量である。そのため、洗浄液タンク７内の排気圧は増加せず、洗浄液８を押し出し供給するチューブ９を介して前記床用吸込具１６に設けたスプレーノズル１７に供給することはない。
【００２７】
図２はノズル１０を洗浄液８に浸ける場合で、かつ、洗浄液８を床用吸込具１６に設けた噴射手段であるスプレーノズル１７に送る場合の実施例である。この場合は、排気口シャッター６は閉じられる方向に操作される。ここで注意することは、排気口シャッター６を完全に閉じると、電動送風機２内のモータを通る空気が無くなりモータの過熱を惹起するので、排気口シャッター６は冷却に要するだけの幾分かは開放しておく必要がある。この状態では排気口５への排気量が少量であり、洗浄液タンク７への排気量は増加する。そのため、洗浄液タンク７内の排気圧は増加し、洗浄液８を押し出し供給するチューブ９を介して前記床用吸込具１６に設けたスプレーノズル１７に供給することができる。
【００２８】
次に、本発明の洗浄機能付きウエット＆ドライ電気掃除機の第２の実施形態を図３、図４に示す。図３、図４は泡立ちが生じる洗浄液を用いるために、ノズル１０を泡立ちが生じる洗浄液８に浸けない場合であって、図において、図１、図２のものと同一物には同じ符号を付しており、また、主要な動作は図１、図２において説明したものと同じであるので、ここでは異なる点のみを説明する。
【００２９】
ノズル１０を泡立ちが生じる洗浄液８に浸けない理由は、泡立ちが生じる洗浄液８にノズル１０を浸けると、排気により洗浄液８が泡立ち、洗浄液８を押し出し供給するチューブ９を介して前記床用吸込具１６に設けたスプレーノズル１７に適正な供給をすることができないからである。
【００３０】
図３はノズル１０を洗浄液８に浸けない場合で、かつ、洗浄液８を床用吸込具１６に設けた噴射手段であるスプレーノズル１７に送らない場合の実施例である。この場合は、排気口シャッター６は広く開放されていて、排気口５への排気量が殆どであり、洗浄液タンク７への排気量はゼロかまたは少量であり、排気圧は上昇しない。
【００３１】
図４はノズル１０を洗浄液８に浸けない場合で、かつ、洗浄液８を床用吸込具１６に設けた噴射手段であるスプレーノズル１７に送る場合の実施例である。この場合は、排気口シャッター６は閉じられる方向に操作される。その結果、洗浄液タンク７の排気圧は上昇する。
【００３２】
通常、洗浄機能付きウエット＆ドライ電気掃除機を使用する際には、事前に床あるいは絨毯に洗浄液を散布し、その後にゴミと水分が混在した塵埃を吸い込む動作を行なうので、図２の動作を行なった後、図１の動作に移るのが普通である。
【図面の簡単な説明】
【００３３】
【図１】洗浄液を送らない場合の本発明の電気掃除機の断面図。
【図２】洗浄液を送る場合の本発明の電気掃除機の断面図。
【図３】洗浄液を送らない場合の本発明の他の電気掃除機の断面図。
【図４】洗浄液を送る場合の本発明の他の電気掃除機の断面図。
【図５】洗浄機能付きウエット＆ドライ電気掃除機本体の上面図。
【図６】本発明の洗浄機能付きウエット＆ドライ電気掃除機の構成図。
【符号の説明】
【００３４】
１            掃除機本体
２            電動送風機
３            ホース
４            ダストフィルター
５            排気口
６            排気口シャッター
７            洗浄液タンク
８            洗浄液
９            チューブ
１０          ノズル
１１          集塵室
１２          汚水収集タンク
１３          円筒体
１４          浮揚体のフローター
１５          延長ダクト
１６          床用吸込具
１７          噴射手段（プレーノズル）
【図１】
2010068903.tif 000003
【図２】
2010068903.tif 000004
【図３】
2010068903.tif 000005
【図４】
2010068903.tif 000006
【図５】
2010068903.tif 000007
【図６】
2010068903.tif 000008